(57)【要約】      （修正有）【課題】窒素除去効率を更に向上させ、流入下水量の負荷変動に対しても高い適用性を示し、更には、反応槽内の処理時間（ＨＲＴ）を大幅に短縮でき、中大規模の下水処理場等でも採用可能な膜分離活性汚泥装置及び方法の提供。【解決手段】好気性処理および無酸素処理を行う単一の反応槽１と、その反応槽１の内部に配置された浸漬膜分離ユニット２ａと、曝気手段４ａとを有する仕切板挿入型の膜分離活性汚泥処理装置であって、反応槽１は仕切板７によって複数個の区画に分割され、その複数個の区画のうちの少なくとも一つの区画を好気区画とし、その他の区画内で無酸素処理を行う膜分離活性汚泥処理装置において、循環水量調節装置を設けると共に、前記好気区画に第１の溶存酸素計１０ａを設け、前記その他の区画に第２の溶存酸素計１０ｂを設けた膜分離活性汚泥処理装置及びこの装置を用いた膜分離活性汚泥処理方法。【選択図】図３
2018187539.tif 000002
【特許請求の範囲】
【請求項１】
好気性処理および無酸素処理を行う単一の反応槽と、その反応槽の内部に配置された浸漬膜分離ユニットと、曝気手段とを有する膜分離活性汚泥処理装置であって、反応槽は、底部が反応槽の底面から離間して設けられた仕切板によって複数個の区画に分割され、その複数個の区画のうちの少なくとも一つの区画を、浸漬膜分離ユニットおよび曝気手段が配置された好気区画とし、その他の区画内で無酸素処理を行う膜分離活性汚泥処理装置において、循環水量調節装置を設けると共に、前記好気区画に第１の溶存酸素計を設け、前記その他の区画に第２の溶存酸素計を設けたことを特徴とする膜分離活性汚泥処理装置。
【請求項２】
前記好気区画内に補助曝気手段を更に設け、前記循環水量調節装置が、仕切板上部において開度を調節することが可能な循環水量調節装置である、請求項１記載の膜分離活性汚泥処理装置。
【請求項３】
第１の溶存酸素計により測定した溶存酸素濃度が予め設定した目標値となるよう、補助曝気手段による曝気量を制御する手段と、第２の溶存酸素計により測定した溶存酸素濃度が予め設定した目標値となるよう、循環水量調節装置の開度を制御する手段を設けた、請求項２記載の膜分離活性汚泥処理装置。
【請求項４】
アンモニア計および／または硝酸計を更に設けて制御する手段を設けた、請求項１〜３のいずれか一項に記載の膜分離活性汚泥処理装置。
【請求項５】
反応槽に供給される原水の負荷状況に応じて予め設定した第１の溶存酸素計及び第２の溶存酸素計の目標値によって制御する手段を設けた、請求項１〜４のいずれか一項に記載の膜分離活性汚泥処理装置。
【請求項６】
浸漬膜分離ユニットを配置した単一の反応槽内で好気性処理および無酸素処理を行う膜分離活性汚泥処理方法であって、浸漬膜分離ユニットの周囲を底部が反応槽の底面から離間して設けられた仕切板で区画し、浸漬膜分離ユニットの下方から曝気を行うことにより、浸漬膜分離ユニットが配置された区画内を好気状態に維持しつつ、その他の区画内で無酸素処理を行う膜分離活性汚泥処理方法において、前記浸漬膜分離ユニットが配置された区画の溶存酸素濃度と、前記その他の区画の溶存酸素濃度をそれぞれ測定し、各溶存酸素濃度の測定値が予め設定した目標値となるよう、曝気量および循環水の流速を制御することを特徴とする膜分離活性汚泥処理方法。
【発明の詳細な説明】
【技術分野】
【０００１】
本発明は、膜分離とともに窒素除去を効率的に行うことができ、流入下水量の負荷変動に対し適用性の高い膜分離活性汚泥処理装置及び方法に関する。
【背景技術】
【０００２】
従来から、窒素やリンといった栄養塩を含む下廃水を処理するにあたっては、汚水を反応槽に導入し活性汚泥と共に曝気・攪拌して生物処理を行う活性汚泥法が用いられている。特に近年は、この活性汚泥法によって処理された処理水から固形物を含まない清澄な処理水を得るため、反応槽内に膜分離装置を浸漬させ、処理水を膜分離して排出する膜分離活性汚泥法（Membrane Bioreactor（ＭＢＲ）法）が多用されている。
【０００３】
このような浸漬型の膜分離装置では、膜表面に汚泥が付着してファウリング（膜の目詰まり）が発生するのを防止するために、下部の散気管から空気を吹き込む必要があり、通常はほぼ連続的に散気を行っている。活性汚泥法においては、このような好気状態下では硝化細菌の作用により硝化が進行するが、一方で脱窒細菌による脱窒処理を行うためには槽内を無酸素状態にする必要がある。したがって、膜分離活性汚泥法においては、膜ろ過時の膜面洗浄と硝化処理のための散気の確保と、脱窒処理のための無酸素状態の確保の両立が必要であるが、これを実現する技術として、単一の反応槽内で好気処理（硝化処理）と無酸素処理（脱窒処理）を進行させる膜分離活性汚泥装置および方法が提案されている（特許文献１）。
【０００４】
この特許文献１で提案された装置は、本願の図１に示すように、好気性処理および無酸素処理を行う単一の反応槽１と、その反応槽の内部に配置された浸漬膜分離ユニット２と、曝気手段４とを有する装置であって、反応槽１は、底部が反応槽の底面から離間して設けられた仕切板７によって複数個の区画に分割され、その複数個の区画のうちの少なくとも一つの区画を、浸漬膜分離ユニット２および曝気手段４が配置された好気区画とし、残りの区画を、好気状態から無酸素状態に、また、無酸素状態から好気状態に切り換えるための区画とし、かつ、反応槽内の液位が仕切板上端よりも高い状態と低い状態とに切り換えるための液位制御手段又は仕切板の高さ制御手段が設けられた、仕切板挿入型の膜分離活性汚泥処理装置（Baffled Membrane Bioreactor（Ｂ−ＭＢＲ法））である。
【０００５】
特許文献１の方法では、反応槽１内の液位が低水位（ＬＷＬ：Low Water Level）になると原水ポンプ８がＯＮとなり、液位が高水位（ＨＷＬ：High Water Level）になると原水ポンプ８がＯＦＦとなるよう設定して液位を変化させることにより、液位が仕切板より高い状態と、液位が仕切板より低い状態とが交互に作り出される（図１）。ここで、液位が仕切板より高い状態では、散気管４からのエアで槽全体に及ぶ循環流（膜ユニット収容区画から、仕切板７の上を越えてその他の区画に入り、該その他の区画内を下降し、仕切板７よりも下の領域を介して膜ユニット収容区画に戻る循環流）が形成される（図２）。このような循環流の形成により、膜分離ユニット収容区画において硝化処理により得られた硝酸態窒素を多く含む汚泥がその他の区画に移行し、仕切板７の内外で好気処理（硝化処理）が進行する（この時間帯を「硝化促進運転時間帯」という）。一方、液位が仕切板より低い状態では、膜分離ユニット収容区画とその他の区画の間で液の流通が分断され、その結果、該その他の区画では無酸素状態となり、無酸素処理（脱窒処理）が進行する（この時間帯を「脱窒促進運転時間帯」という）。このように、特許文献１の方法は、液位が仕切板より高い状態と低い状態とを交互に作り出すことにより、硝化促進運転時間帯と脱窒促進運転時間帯とを繰り返す方法である。
【０００６】
また、特許文献２には、ディッチ（無終端水路）内に循環水流発生手段と酸素供給手段（曝気装置）を設置し、好気性水域と無酸素水域とを形成したオキシデーションディッチ法（以下、「ＯＤ法」ともいう）において、好気性水域の上流側と下流側にそれぞれ溶存酸素計（ＤＯ計）を設け、上流側溶存酸素計の測定値に基づいて酸素供給手段による酸素供給量を調節し、下流側溶存酸素計の測定値に基づいて循環水流発生手段による循環水の流速を調節する装置及び方法が開示されている。
【先行技術文献】
【特許文献】
【０００７】
【特許文献１】特開２００４−２６１７１１号公報
【特許文献２】特開２００５−５２８０４号公報
【発明の概要】
【発明が解決しようとする課題】
【０００８】
しかしながら、特許文献１に記載された方法では、窒素除去効率を更に向上させることが望まれていた。また、特許文献１の方法では、液位が仕切板より高い状態と低い状態とを交互に作り出すことにより、硝化促進運転時間帯と脱窒促進運転時間帯を切り替えていたため、各運転時間帯の切り替えに長時間を要していた。
【０００９】
また、下水処理においては、流入下水量の日間変動（流入排水量や汚濁物質の濃度変動）が大きく、一般に、大規模処理装置では日間平均値の０．５〜１．５倍程度の変動があり、小規模処理装置では０．２〜３倍程度の変動がある。このような日間の負荷変動に対し、特許文献１の方法では、効率的な硝化及び脱窒反応を行うことは困難であった。また、流入下水量の日間変動を小さくするためには、大容量の流量調整槽を設ける必要があった。
【００１０】
更に、特許文献２に開示されたＯＤ法は、固液分離を最終沈殿池で行う重力式沈降分離法であり、固液分離を容易にするため、ＭＬＳＳ（Mixed Liquor Suspended Solid）濃度は２０００〜４０００ｍｇ／Ｌ程度と低い範囲に管理される。そのため、ＯＤ法では、ディッチ内での処理時間（ＨＲＴ）が１２時間程度と長くなり、最終沈殿池でも６時間程度が必要となる。また、ＯＤ法では、大きな施設容量が必要となり広大な設置スペースが必要となるため、小規模下水処理場向けには採用されてきたが、コンパクトな施設が求められる中大規模の下水処理場や工場排水処理では採用し難いという問題があった。
【００１１】
本発明は、上記従来の課題に鑑み、窒素除去効率を更に向上させ、流入下水量の日間の負荷変動に対しても高い適用性を示し、更には、反応槽内の処理時間（ＨＲＴ）を大幅に短縮し、中大規模の下水処理場や工場排水処理でも採用可能な膜分離活性汚泥装置及び方法を提供することを目的とする。
【課題を解決するための手段】
【００１２】
本願発明者らは、従来の仕切板挿入型の膜分離活性汚泥処理法において窒素除去効率が十分でない原因について鋭意研究した。その結果、液位が仕切板より低い状態（脱窒促進運転時間帯）では、仕切板内外で液の流通が分断され、膜分離ユニットが配置されていない区画では循環流が発生しないために、脱窒反応に関与する、原水、硝化液（硝化処理後の硝酸性窒素を含む液）及び脱窒細菌の混合が十分に行われず、その結果として効率的な脱窒反応が進行しにくくなることを見出した。
【００１３】
そして、反応槽内に循環水量調節装置を設けると共に、膜分離ユニット収容区画に第１の溶存酸素計を設け、その他の区画に第２の溶存酸素計を設けた膜分離活性汚泥処理装置を用いることにより、その他の区画において、脱窒反応に必要な上記の十分な混合を達成し、且つ、脱窒の障害となる溶存酸素（ＤＯ）を低いレベルに維持することができ、その結果、窒素除去効率が向上することに想到した。また、このような膜分離活性汚泥処理装置を用いることにより、流入下水量の負荷変動に対しても適応可能であり、ＯＤ法に比べて、反応槽内の処理時間（ＨＲＴ）を大幅に短縮でき、コンパクトな活性汚泥処理装置となることに想到し、本発明を完成した。
【００１４】
すなわち本発明は、以下の（１）〜（６）に関する。
（１）好気性処理および無酸素処理を行う単一の反応槽と、その反応槽の内部に配置された浸漬膜分離ユニットと、曝気手段とを有する膜分離活性汚泥処理装置であって、反応槽は、底部が反応槽の底面から離間して設けられた仕切板によって複数個の区画に分割され、その複数個の区画のうちの少なくとも一つの区画を、浸漬膜分離ユニットおよび曝気手段が配置された好気区画とし、その他の区画内で無酸素処理を行う膜分離活性汚泥処理装置において、循環水量調節装置を設けると共に、前記好気区画に第１の溶存酸素計を設け、前記その他の区画に第２の溶存酸素計を設けたことを特徴とする膜分離活性汚泥処理装置。
【００１５】
（２）前記好気区画内に補助曝気手段を更に設け、前記循環水量調節装置が、仕切板上部において開度を調節することが可能な循環水量調節装置である、（１）に記載の膜分離活性汚泥処理装置。
（３）第１の溶存酸素計により測定した溶存酸素濃度が予め設定した目標値となるよう、補助曝気手段による曝気量を制御する手段と、第２の溶存酸素計により測定した溶存酸素濃度が予め設定した目標値となるよう、循環水量調節装置の開度を制御する手段を設けた、（２）に記載の膜分離活性汚泥処理装置。
（４）アンモニア計および／または硝酸計を更に設けて制御する手段を設けた、（１）〜（３）のいずれかに記載の膜分離活性汚泥処理装置。
【００１６】
（５）反応槽に供給される原水の負荷状況に応じて予め設定した第１の溶存酸素計及び第２の溶存酸素計の目標値によって制御する手段を設けた、（１）〜（４）のいずれかに記載の膜分離活性汚泥処理装置。
（６）浸漬膜分離ユニットを配置した単一の反応槽内で好気性処理および無酸素処理を行う膜分離活性汚泥処理方法であって、浸漬膜分離ユニットの周囲を底部が反応槽の底面から離間して設けられた仕切板で区画し、浸漬膜分離ユニットの下方から曝気を行うことにより、浸漬膜分離ユニットが配置された区画内を好気状態に維持しつつ、その他の区画内で無酸素処理を行う膜分離活性汚泥処理方法において、前記好気区画の溶存酸素濃度と、前記その他の区画の溶存酸素濃度をそれぞれ測定し、各溶存酸素濃度の測定値が予め設定した目標値となるよう、曝気量および循環水の流速を制御することを特徴とする膜分離活性汚泥処理方法。
【００１７】
なお、本明細書において「無酸素状態」とは、完全な無酸素状態のみを意味するものではなく、脱窒菌の作用により硝酸態窒素を窒素分子に還元できる程度に酸素濃度が低い状態をも包含する意味で用いる。
【発明の効果】
【００１８】
本発明によれば、膜分離ユニットが配置されていない区画において、効率的に脱窒反応を進行させることができるため、有機性汚水からの窒素除去効率を向上させることができる。また、流入下水量の負荷変動に対しても適用でき、効率的な硝化及び脱窒反応を行うことができる。更には、反応槽内の処理時間（ＨＲＴ）を大幅に短縮することができ、コンパクトで効率的な膜分離活性汚泥処理が可能となる。
【図面の簡単な説明】
【００１９】
【図１】従来法（特許文献１）の膜分離活性汚泥処理装置を模式的に示す図である。
【図２】仕切板挿入型の膜分離活性汚泥処理装置における循環水の流れを模式的に示す図である。
【図３】本発明の膜分離活性汚泥処理装置の一実施態様を模式的に示す図である。
【図４】本発明の循環水量調節装置の一態様を模式的に示す側面図及び上面図である。
【図５】本発明の循環水量調節装置の別の態様を模式的に示す図である。
【図６】本発明の循環水量調節装置の更に別の態様を模式的に示す図である。
【図７】本発明の膜分離活性汚泥処理装置の別の一実施態様を模式的に示す図である。
【発明を実施するための形態】
【００２０】
以下、図面に基づいて、本発明に係る膜分離活性汚泥処理装置及び方法の実施態様を説明する。なお、図１〜図７において、同一機能を有する部材には、同一符号を付すものとする。
本発明の特徴は、後述する通り、仕切板挿入型の膜分離活性汚泥処理装置において、循環水量調節装置と第１及び第２の溶存酸素計を設けた点にあるが、まず本発明に係る装置および方法の一実施態様の全体構成について、図３に基づき説明する。
【００２１】
図３の膜分離活性汚泥装置においては、単槽式の反応槽１に、浸漬型の膜分離ユニット２ａが設けられており、この膜分離ユニット２ａには反応槽１の外で吸引ポンプ３が接続されている。
膜分離ユニット２ａは、膜そのものとして汚れにくい素材を用いたものや、膜表面に汚れがつきにくくなるように、膜間に適当な隙間を有するものを用いることが好ましい。膜分離ユニット２ａには、精密ろ過膜、限外ろ過膜、ナノろ過膜、逆浸透膜などを用いて形成されたモジュールを用いることができる。経済性の観点からは、ろ過速度が高くコンパクト化が可能で、メンテナンスが容易である精密ろ過膜、限外ろ過膜を用いたモジュールが好ましい。膜の形状は平膜、中空糸膜等のものが用いられる。ここで用いられる浸漬型膜分離ユニット自体はこの分野において広く用いられており、市販もされている。
【００２２】
膜分離ユニット２ａの下方には、膜洗浄用の曝気手段４ａ（散気装置）が設けられ、膜分離ユニット２ａの下部の側方には、補助曝気手段４ｂ（散気装置）が設けられている。曝気手段４ａ及び４ｂは、それぞれブロワ５ａ及び５ｂに接続され、ブロワ５ａ及び５ｂからエア（空気)が供給される。
【００２３】
膜洗浄用の曝気手段４ａは、粗大な気泡を発生させ膜分離ユニット２ａの膜表面でのスクラビング効果を高めている。消費電力量を抑えるために、間欠的に粗大気泡を発生させる装置を組み込むこともできる。膜洗浄用の曝気手段４ａが発生させる気泡は、粗大気泡であることから上昇速度が大きく、循環流速を高める効果は大きいが、一方で酸素移動効率は小さくなる。
補助曝気手段４ｂは、膜洗浄用の曝気手段４ａによる酸素供給では不足する酸素量を補う目的で設置する。補助曝気手段４ｂとしては、通常は微細気泡を発生するメンブレン式散気装置が用いられ、一般に、膜洗浄用曝気手段と比較して酸素移動効率が２〜５倍高い。
【００２４】
反応槽１には、微生物を含有する汚泥が収容されており、この微生物が、有機物の分解菌、さらにはそれら微生物の分解菌として作用し、生物処理を行う。したがって、反応槽１は、汚泥が部分的に偏在することがないように、また、酸素が均一に供給されるように、内表面に角がないものや凹凸がないものが好ましい。この結果、反応槽１内では処理液の温度やｐＨが均一になり、安定に分解処理を進めることができる。また、汚泥に含有される微生物は、細菌類、酵母およびカビを含む真菌類など、溶解性有機物などの分解に寄与するもので、土壌、堆肥、汚泥など、自然界から集積培養および馴養によって取得される。またこの馴養液から分解に関与する主要な微生物群を単離して用いることも可能である。なお、これらの微生物を含有する汚泥自体はこの分野において周知である。
【００２５】
反応槽１内の活性汚泥処理条件は、膜分離活性汚泥法で通常使用する周知の条件であればよいが、ＭＬＳＳ濃度は、通常３０００〜２００００ｍｇ／Ｌ、好ましくは５０００〜１５０００ｍｇ／Ｌであり、ＯＤ法に比べ高いＭＬＳＳ濃度を維持することができる。また、反応槽１内のＨＲＴ（水理学的滞留時間）は、通常２〜２４時間、好ましくは４〜８時間であり、ＯＤ法に比べ短縮されたＨＲＴを達成可能である。
【００２６】
図３の反応槽１には、仕切板７が更に設けられている。仕切板７は、底部が反応槽の底面から離間して設けられており、膜分離ユニット２ａの横方向の周囲を囲包（上下は開放）しているが、膜分離ユニット２ａの周囲を実質的に取り囲むものであれば良い。仕切板７は槽壁と組合せて膜分離ユニット２ａの周囲を取り囲むものでもよく、反応槽１の槽壁と共働して矩形の領域を規定する２枚の平板状のものが好ましい。図３に示すように、膜分離ユニット２ａの周囲４面のうち、１面を仕切板７が囲包し、他の３面を槽壁で囲包するものや、仕切板７が膜分離ユニット２の全周囲を囲包するものでもよい。膜分離ユニット２ａの収容区画とその他の区画の容量比は、通常１：０．５〜５であり、好ましくは１：１〜３の範囲内となるよう設定することができる。
【００２７】
なお、図３の具体例では、浸漬膜分離ユニットの収容区画（以下、「膜分離ユニット収容区画」とも言う）が１つだけであるが、大型の下水処理等の場合には、単位時間当たりの処理量を大きくするために、所望により、膜分離ユニット収容区画（好気区画）を複数設け、これらの各区画にそれぞれ膜分離ユニットを浸漬してもよい。この場合、膜分離ユニット収容区画以外の区画（以下、「その他の区画」とも言う）を複数設けることも可能であるが、１つの方が構造が単純で反応液の均一性も確保しやすいので好ましい。
【００２８】
下水処理場等の汚水処理施設に流入した汚水は、前処理設備において砂やごみ等の分離・除去を行った後、原水として原水槽から原水ポンプ８により反応槽１へと導入される。本発明において、原水は、膜分離ユニット収容区画以外の区画に供給するのが好ましい。これにより脱窒反応に必要な水素供与体が供給され、脱窒促進時間帯において脱窒反応が効率的に進行する。
【００２９】
本発明の膜分離活性汚泥処理装置は、反応槽１内の液位を調節するための液位制御手段を有していてもよい。液位制御手段としては、例えば、反応槽内の液位、すなわち、液表面の位置を調べるレベルセンサーを設け、このレベルセンサーにより検出した液位に応じて、原水ポンプにより反応槽に供給する原水の流量を制御する手段が挙げられる。
【００３０】
このような図３に示す構成により、反応槽１内で汚水が生物学的に処理され、曝気手段４ａからのエアによって、膜分離ユニット２ａの膜面に汚泥物質等が付着するのを防止しながら、膜分離ユニット２ａによって反応槽１内の処理液をろ過し、そのろ過水を吸引ポンプ３により吸引して槽外に取り出すことができる。図３の具体例においては、吸引ポンプ３でろ過圧を得ているが、反応槽内の水位と濾過水取り出し口との水位との差、すなわち自然水頭のみによって濾過圧を得てもよく、さらに原液側から加圧することによって濾過圧を得てもよい。
【００３１】
本発明の特徴は、このような仕切板挿入型の膜分離活性汚泥処理装置において、循環水量調節装置と第１及び第２の溶存酸素計を設ける点にある。
【００３２】
本発明における循環水量調節装置とは、反応槽内に水流を発生させる装置又は機器であれば特に限定されないが、曝気手段（散気装置）からのエアにより反応槽内に形成される循環流の流速を制御することができる装置であるのが好ましい。ここで「循環流」とは、図３に示すように、仕切板内外が越流状態である場合に、膜分離ユニット収容区画から、仕切板７の上を越えてその他の区画に入り、その他の区画内を下降し、仕切板７よりも下の領域を介して膜ユニット収容区画に戻る液の流れである。該循環水量調節装置は、仕切板の上部又は上端に設けるのが好ましく、膜分離ユニット収容区画からその他の区画へ移動する循環流の流速を調節する手段であることが好ましい。
【００３３】
以下に、本発明における循環水量調節装置を図４〜６を参照しつつ説明する。図４においては、循環水量調節装置の理解を容易にするために、溶存酸素計と補助曝気手段を省略した。
本発明における循環水量調節装置の第１の態様は、循環水量調節板と、該循環水量調節板をスイングさせる（振り動かす）ための調節板移動手段を備えたスイング式循環水量調節装置である。具体的には、図４に示すような、循環水量調節板（以下、「スイング板」ともいう）２０ａと、該スイング板の長手方向の一辺を固定する固定部材２１ａと、該スイング板２０ａをスイングさせるための調節板移動手段２２を備えたスイング式循環水量調節装置である。また、図４の上図は、スイング板２０ａ及び２０ｂが仕切板上部を完全に覆い、循環流を遮断した場合における、本発明の膜分離活性汚泥処理装置の上面図である（図４の側面図において、右側の循環水量調節装置は省略し、上面図において、調節板移動手段２２は省略した）。
【００３４】
図４に示すスイング板２０ａは、その長手方向の二つの辺のうちの一辺が棒状の固定部材２１ａに固定されている。また、スイング板２０ａは、調節板移動手段２２と着脱可能なように連結しており、調節板移動手段２２によりスイング板２０ａを上下に移動させスイングさせることにより、仕切板の上部において開度を調節することができる。
【００３５】
ここで、スイング板の開度は、図４の側面図において、スイング板が仕切板上部を完全に覆い、循環流をほぼ完全に遮断した場合を開度０％とし、調節板移動手段２２によりスイング板を上方向に移動させ、スイング板の下端部が反応槽内の液位よりも上位となった場合（全開の場合）を開度１００％とし、固定部材を中心としたスイング板の移動角度に応じて０〜１００％の間で設定される。
【００３６】
スイング板は、膜分離ユニット収容区画から仕切板７の上を越えてその他の区画に入る循環流の水量を調節できるものであれば、矩形状、台形状、平板状等、どのような形状のものでもよい。図４に示すスイング板２０ａは、短手方向に湾曲した矩形状の調節板であり、調節板移動手段２２方向（上方向）に湾曲した状態（凸状態）となるよう設置すると、仕切板上部において循環流の流れに沿った調節が可能となるため好ましい。
【００３７】
スイング板の長手方向長さは、仕切板の上部全体を覆うよう仕切板上端とほぼ同じ長さものを使用できるが、仕切板上端の一部、例えば、仕切板上端の長さの１／５〜１／２を覆う長さであってもよい。また、仕切板が反応槽内に複数個設置されている場合であっても、スイング板は全ての仕切板の上部を覆うよう設置する必要はなく、全ての仕切板の上端長さの一部、例えば、仕切板全体の上端長さの１／５〜１／２に設置してもよい。スイング板の短手方向長さは、スイング板を調節板移動手段２２により仕切板方向（下方向）に移動させた場合に、スイング板が仕切板上部を完全に覆い、循環流をほぼ完全に遮断可能となるような長さとするのが好ましい。また、スイング板の厚みは、循環流の制御に耐える強度を有する厚みであればよい。
【００３８】
固定部材２１ａとしては、スイング板をスイング可能なように固定するものであれば特に限定されない。固定部材２１ａとしては、例えば、棒状の固定部材の側面にスイング板２０ａの長手方向の一辺を固定すると共に、棒状部材の両端を軸受を用いて回転可能なように反応槽の槽壁に連結させる構成とすることができる。あるいは、中空管と、その中空管の中を貫通する棒状部材を組み合わせた部材を使用し、スイング板２０ａの長手方向の一辺が該中空管の側面に固定されると共に、該中空管の中を貫通する棒状部材の両端が反応槽の槽壁に固定される構成とすることができる。このような構成とすることにより、スイング板２０ａの長手方向の一辺が固定部材に固定されたまま、調節板移動手段２２によりスイング板２０ａを上下にスイングさせ、仕切板の上部を開閉することができる。
【００３９】
固定部材２１ａの両端を反応槽の槽壁に固定する位置は、循環水量の調節を効率的に行い、処理液による固定部材２１の腐食を低減するという観点から、反応槽内の最高液位よりも上位とするのが好ましい。また、固定部材２１の両端は、循環水量の調節を効率的に行うという観点から、仕切板７の真上よりも前記その他の区画方向にずらした位置に固定するのが好ましい。
【００４０】
また、調節板移動手段２２としては、スイング板を上下に移動可能なものであれば特に限定されないが、電動シリンダーや空気圧式又は油圧式シリンダー等の公知の駆動装置を使用することができる。
【００４１】
図４に示す循環水量調節手段以外にも、様々な機構及び形状のものを使用することができる。例えば、図５に示すように、短手方向に曲折した矩形状のスイング板２０ｃを使用することもできる。このようなスイング板を、調節板移動手段２２方向（上方向）に曲折した状態（凸状態）となるように設置すると、仕切板上部において循環流の流れに沿った調節が可能となるため好ましい。なお、図５に示す循環水量調節手段は、スイング板が短手方向に曲折した形状であること以外は、図４に示す循環水量調節手段と同様の構成とし、同様の機能を達成することができる。
【００４２】
図４及び図５に示すスイング式の構成以外にも、スイング板（循環水量調節板）をヒンジ部材等を介して仕切板上端部に固定し、該スイング板を調節板移動手段に着脱可能なように連結させ、該調節板移動手段によりスイング板を転倒させることにより、仕切板の上部を開閉させる転倒式ダム構造の循環水量調節手段も使用できる。
【００４３】
また、スイング板の代わりに、風船や中空シートのように、内部に空気を導入することにより膨張又は拡張させることのできる部材を仕切板の上端や上部に設置し、循環流を堰き止めることにより循環水量を調節する堰き止め方式の循環水量調節手段も使用できる。
【００４４】
本発明における循環水量調節装置の第２の態様は、図６に示すような開口部３１を有するスライド板３０を備えた循環水量調節装置である。スライド板３０は、同じく開口部３２を有する仕切板７の上端付近に設置され、スライド板３０を水平方向にスライドさせた場合に、スライド板３０の開口部３１と仕切板の開口部３２の重なり具合を調節することにより、仕切板の開度（開口率）を調節することができる。
【００４５】
ここで、スライド板の開度（開口率）は、図６において、仕切板の開口部とスライド板の開口部が重ならず、循環流をほぼ完全に遮断した場合を開度０％とし、開口部同士が完全に重なり全開となった場合を開度１００％とし、全開した場合の開口総面積に対する開口部の総面積の割合として規定される。
【００４６】
スライド板と仕切板の開口部の形状は矩形状、円状、楕円状等から適宜選択できる。また、スライド板全体の面積に占める全開口部の合計面積は、１／３〜２／３程度とするのがよい。スライド板全体の形状は特に限定されないが、通常は、水平方向にスライドしやすい矩形状の板が使用できる。スライド板３０は、複数のスライド板固定部材３３を用いることにより、水平方向にスライド可能なように仕切板上端付近に固定することができる。スライド板の水平方向への移動はスライド板移動手段３４を用いて行うことができ、スライド板移動手段３４としては、例えば、電動シリンダーや空気圧式又は油圧式シリンダー等の公知の駆動装置を使用することができる。
【００４７】
このようなスライド板を備えた循環水量調節装置を用いる場合には、反応槽内の液位運転水位を、図６に示すように、スライド板と仕切板の開口部上端よりも低く、スライド板と仕切板の開口部の下から約３分の１よりも高い範囲の運転水位とするのがよい。このような運転水位範囲に液位を維持すれば、スライド板３０を用いて仕切板の開度（開口率）を調節することにより、効率的な脱窒反応を進行させることができる。
【００４８】
本発明の膜分離活性汚泥処理装置は、上述した循環水量調節装置と共に、循環水中の溶存酸素濃度を測定するための第１及び第２の溶存酸素計（ＤＯ計）を設けることを特徴とする。
第１の溶存酸素計（ＤＯ１）は、膜分離ユニット収容区画に設けるが、効率的な制御を行うためには、膜分離ユニット収容区画の中央部付近であって、膜分離ユニットの上端よりも上部であり、反応槽内の液位が最低水位となっても、ＤＯ１が液に浸漬する位置に設置するのがよい。また、第２の溶存酸素計（ＤＯ２）は、膜分離ユニット収容区画以外の区画（その他の区画）に設けるが、効率的な制御を行うためには、反応槽内の液位深さの半分程度の位置に設置するのがよい。
【００４９】
本発明においては、上記の循環水量調節装置と第１及び第２の溶存酸素計（ＤＯ計）を組み合わせて制御を行うことにより、窒素除去効率が高く、流入下水量の負荷変動に適用可能な処理を行うことができる。具体的には、第１の溶存酸素計（ＤＯ１）により測定した溶存酸素濃度が、予め設定したＤＯ１の目標値となるよう補助曝気手段（ブロワー）による送風量を制御し、第２の溶存酸素計（ＤＯ２）により測定した溶存酸素濃度が、予め設定したＤＯ２の目標値となるよう循環水量調節装置の開度を制御する。
【００５０】
予め設定するＤＯ１の目標値は、０．５〜２．０ｍｇ／Ｌ程度であり、予め設定するＤＯ２の目標値は、０．１〜０．５ｍｇ／Ｌ程度である。ＤＯ１とＤＯ２の目標値は２４時間一定とすることもできるが、下記表１に示すように、１日の中でも負荷状況に応じて時間帯により変更する方がより細やかな制御が可能となる。なお、下記表１において、負荷状況は、流入排水量や汚濁物質の濃度が高い順に高負荷、中負荷及び低負荷と分類したものである。
【００５１】
【表１】
2018187539.tif 000003
【００５２】
以下に、図３に基づき、本発明における具体的な制御方法について説明する。
反応槽１に原水を供給する原水ポンプ８は、インバータの周波数が２０〜５０Ｈｚの範囲内で制御可能であり、原則として、ろ過ポンプの吸引流量と同じか少し多い流量にして、５０Ｈｚ等の一定流量で運転を行う。反応槽の水位が最高水位（Ｈ）に達したら原水ポンプを停止し、最低水位（Ｌ）まで低下したら原水ポンプの運転を開始するようにレベル制御を行う。また、原水槽の水位が最低水位（Ｌ）レベル以下となった場合には、インターロックをして空運転を防止する。
【００５３】
ろ過ポンプ３は、インバータの周波数が２０〜５０Ｈｚの範囲内で制御可能である。原則として、５０Ｈｚ等の一定流量で運転を行う。浸漬膜分離ユニットの膜表面のファウリングを防止するために、９分間吸引したら１分間停止するサイクルを繰り返す。あるいは、流入原水量の変動に合わせてろ過水量を変化させる様にしても良い。反応槽内の液位が浸漬膜分離ユニットの上端まで低下した場合（ＬＬレベル）には、ろ過ポンプ３はインターロックされ空運転が防止される。
【００５４】
膜洗浄用ブロワ（Ｂ１）は、インバータの周波数が２０〜５０Ｈｚの範囲内で制御可能であり、膜面積当たりの曝気量ＳＡＤｍが０．１〜０．１５の範囲で、原則として一定風量で連続運転を行う（ＳＡＤｍ（Specific-Air-Demand per membrane surface area）は必要な曝気量を意味し、通常はＮｍ３/ｍ２/ｈの単位で表される）。
【００５５】
なお、流入原水量の変動に合わせてろ過水量を変化させる場合には、膜フラックスに合わせて、膜洗浄用ブロワ（Ｂ１）の送風量をＳＡＤｍとして０．０５〜０．２の範囲で調整することも有効である。ここで、膜フラックスとは、単位膜面積・単位時間当たりの膜ろ過水量（ｍ３／ｍ２／ｄ）を表す。
下記表２に、１日の負荷時間帯に合わせて設定された膜フラックスの目標値の例と、この膜フラックスの値に対応させて調整可能な膜洗浄用ブロワ（Ｂ１）のＳＡＤｍを示す。
【００５６】
【表２】
2018187539.tif 000004
【００５７】
補助曝気ブロワ（Ｂ２）は、インバータの周波数が２０〜５０Ｈｚの範囲内で制御可能であり、ＤＯ１により測定した溶存酸素濃度の値が目標値となる様に送風量を自動制御（ＰＩＤ制御）することにより、補助曝気手段の曝気量を調節する。具体的には、ＤＯ１の測定値が目標値よりも小さい場合には、補助曝気ブロワ（Ｂ２）の送風量を大きくするよう制御し、ＤＯ１の測定値が目標値よりも大きい場合には、補助曝気ブロワ（Ｂ２）の送風量を小さくするよう制御する。インバータの周波数が制御可能範囲の下限値においても、ＤＯ１が目標値以上である場合には、一定時間（例えば、３０分間）補助曝気ブロワ（Ｂ２）を停止する。
【００５８】
補助曝気ブロワ（Ｂ２）は、必要酸素量に対して膜洗浄用ブロワ（Ｂ１）によって供給される酸素量を差引いた酸素量（補助酸素量）を供給するために用いる。前述の通り補助曝気手段は膜洗浄用曝気手段と比較して酸素移動効率が２〜５倍高いことから、膜洗浄用ブロワの風量を可能な限り少なくした上で（例えば、前述の通り１日の負荷時間帯に合わせてＳＡＤｍを設定する）、補助曝気ブロワを効率よく制御することが、電力消費量削減に寄与できる。また、効率的に制御できる範囲が広いブロワ（例えば、スクリュー式ブロワ）を用いることも有効である。
【００５９】
循環水量調節装置は、ＤＯ２により測定した溶存酸素濃度が目標値となるように、開度を１０〜１００％の範囲内で自動制御（ＰＩＤ制御）する。すなわち、ＤＯ２が目標値よりも大きい場合には、ＤＯ１からＤＯ２に達するまでの時間に消費する酸素量が少ないことを意味するので、循環流速を遅くするために、循環水量調節装置の開度を小さくするよう制御する。逆に、ＤＯ２が目標値よりも小さい場合には酸素消費量が大きいので、循環流速を早くするために、循環水量調節装置の開度を大きくするよう制御する。循環水量調節装置の開度が制御下限値である１０％の場合においても、ＤＯ２の測定値が目標値よりも大きい場合には、一定時間（３０分間等）循環水量調節装置を全閉する。
【００６０】
図７に、本発明の膜分離活性汚泥処理装置の別の実施態様を示す。本実施形態では、循環流速を高く維持できるように、複数の膜分離ユニット２ｂを仕切板７の近くに設け、膜分離ユニット２ｂの下方に膜洗浄用の曝気手段（散気装置）４ｃを設置した。補助曝気手段（散気装置）４ｄは膜分離ユニット収容区画下方の中心部に配置し、その上部にＤＯ１を配置した。また、ＤＯ２は膜分離ユニット収容区画以外の区画に設置した。
【００６１】
図７に示す実施態様においては、循環水量調節装置を補完するために撹拌機１５を設置している。スイング式の循環水量調節装置により十分な制御が可能であれば省エネ効果が大きいが、十分な水流が得られない場合には撹拌機を設置することが効果的である。撹拌機の撹拌翼としては、プロペラ型、スクリュー型、パドル型等各種のものを使用することができる。
【００６２】
このような図７に示す装置によっても、上述したような制御、即ち、ＤＯ１及びＤＯ２により測定した溶存酸素濃度が予め設定した目標値となるよう、補助曝気手段による曝気量と循環水量調節装置の開度を制御することにより、流入下水量の負荷変動に適応した効率的な窒素除去を行うことができる。
【００６３】
図３及び図７の装置において、好気ゾーンとは、膜分離ユニット収容区画内の曝気手段よりも上部とその他の区画の上部のゾーンであり、無酸素ゾーンとは、その他の区画内のＤＯ２よりも下部と膜分離ユニット収容区画内の曝気手段よりも下部のゾーンである。この好気ゾーンと無酸素ゾーンの容量比は１：１〜１：２となる様に設計することができる。一般に、ＢＯＤや窒素の負荷が大きい場合には硝化速度がネックになり、負荷が小さい場合には脱窒速度がネックになる。従って、負荷が大きい場合には好気ゾーンと無酸素ゾーンの比率は１：１程度が好ましく、負荷が低い場合には１：２程度とするのが好ましい。負荷状況に応じた適切なゾーン比率となるよう、ＤＯ２の設置位置を上下させて調整するか、又は上記表１に示した様にＤＯ２の目標値を負荷に応じて変化させることが好ましい。
【００６４】
上記のように、循環水量調節装置と第１及び第２の溶存酸素計（ＤＯ計）を組み合わせて制御を行うことにより、従来法（特許文献１）のように、仕切板内外で液の越流状態と分断状態を作り出すために液位を大きく変動させる必要がないため、原水を一定流量で連続的に反応槽に供給することが可能となる。このため、特別な原水供給装置や原水流量制御装置を設置する必要がない。なお、本発明において「一定流量」とは、ある所定の時間において流量が一定であればよく、最適な流量とするために変更されることがあってもよい。
【００６５】
本発明においては、ＤＯ計の代わりに、又はＤＯ計を補完する目的で、アンモニア計及び／又は硝酸計を設けて制御することもできる。すなわち、アンモニアが多い場合には硝化ゾーンを大きくし、硝酸が多い場合には脱窒ゾーンを大きくする様に制御する。
【００６６】
本発明の装置を用いた膜分離活性汚泥処理方法は、ＯＤ法に比べ高いＭＬＳＳ濃度を維持できることから、硝化に必要なＡ−ＳＲＴ（Aerobic Solid Retention Time：好気的固形物滞留時間）を確保して、低ＢＯＤ−ＭＬＳＳ負荷の条件においても、微生物の内生呼吸による酸素消費速度が大きくなるために、好気ゾーンと無酸素ゾーンの制御がし易くなるという利点を有する。
【００６７】
本発明は、循環水量調節装置と第１及び第２の溶存酸素計を設けた膜分離活性汚泥処理装置、及びこの装置を用いた膜分離活性汚泥処理方法であれば、上記実施態様に限定されるものではなく、上記以外の処理条件および原水の前処理は、従来から周知の方法と同様の条件で行うことができる。
【産業上の利用可能性】
【００６８】
本発明は、窒素除去効率を更に向上させ、流入下水量の日間の負荷変動に対しても高い適用性を示し、更には、反応槽内の処理時間（ＨＲＴ）を大幅に短縮し、中大規模の下水処理場や工場排水処理でも採用可能な膜分離活性汚泥装置及び方法を提供することができる。
【符号の説明】
【００６９】
１  反応槽
２、２ａ、２ｂ  膜分離ユニット
３  吸引ポンプ
４、４ａ、４ｃ  膜洗浄用曝気手段
４ｂ、４ｄ  補助曝気手段
５、５ａ、５ｂ、５ｃ  ブロワ
６  レベルセンサー
７  仕切板
８  原水ポンプ
９  原水槽
１０ａ  第１の溶存酸素計
１０ｂ  第２の溶存酸素計
１５  撹拌機
２０ａ、２０ｂ、２０ｃ  循環水量調節板（スイング板）
２１ａ、２１ｂ、２１ｃ  固定部材
２２  調節板移動手段
３０  スライド板
３１  スライド板開口部
３２  仕切板開口部
３３  スライド板固定部材
３４  スライド板移動手段
【図１】
2018187539.tif 000005
【図２】
2018187539.tif 000006
【図３】
2018187539.tif 000007
【図４】
2018187539.tif 000008
【図５】
2018187539.tif 000009
【図６】
2018187539.tif 000010
【図７】
2018187539.tif 000011